(57)【要約】【課題】  LCD起因のCCDへの飛び込みノイズを回避するため、読出し時にLCDを消す場合があるが、１回の撮影でLCDが複数回消えるため見栄えが良くない。【解決手段】  撮影前にLCDが複数回消えるか否かを判断し、複数回消える場合は、消す必要がある期間を含めてずっと消し続ける。【選択図】  図２
2009147622.tif 000002
【特許請求の範囲】
【請求項１】
画像表示機能を備え、固体撮像素子を用いた撮像装置において、固体撮像素子からの読出し期間に画像表示を消す手段を備え、複数画像の読出し期間に画像表示部を消しつづけることを特徴とする撮像装置。
【請求項２】
請求項１に記載の撮像装置において、
前記複数画像を読出し、それらの画像を演算して新たな画像として合成することを特徴とする撮像装置。
【請求項３】
請求項１に記載の撮像装置において、
前記複数画像の読出しは連写撮影であることを特徴とする撮像装置。
【発明の詳細な説明】
【技術分野】
【０００１】
本発明は固体撮像素子を用いた撮像装置に関するものである。
【背景技術】
【０００２】
従来CCDイメージセンサやCMOSイメージセンサ等の固体撮像素子を用いた撮像装置において、内部メモリ及び外部メモリへのメモリアクセスや、液晶表示装置(LCD)等からの飛び込みノイズを回避するために、固体撮像素子からの映像信号の読出しとノイズ発生源の駆動を別の期間に行ない、映像信号へのノイズの飛び込みを回避することがある。
【０００３】
また、固体撮像素子起因の暗時ノイズ等固定パターンノイズを除去するために、通常露光して撮影した画像と遮光して撮影した画像(黒画像)の２枚の引き算を行なう黒引き処理を行なうことがある。
【０００４】
以下、図４及び図５を用いて、黒引き無し時及び黒引き有り時の静止画撮影シーケンスの例を示す。
【０００５】
図４は黒引き無し時の静止画撮影シーケンスである。
【０００６】
撮像装置の電源を入れた後は固体撮像素子をライブモード(モニタモード)で駆動しており401、同時に表示部(LCD等) にライブ画像を表示し続ける402。その後、撮影者がシャッタボタンを押すことにより(SW2)撮影を開始する。まず固体撮像素子は蓄積を開始し403、その後読み出しを行なう404。読出した画像信号は画像処理(現像)を行なうが、負荷の重い処理を行なう場合、レビュー画像(撮影した画像の表示)が遅れるため、一旦高速処理にて現像405、仮レビュー406を行なう。その後本現像407、撮影画像の格納408、レビュー409を行なう。撮影をした後は再び固体撮像素子をライブモードで駆動し410、表示部にライブ画像を表示する411。
【０００７】
尚、上記撮影シーケンスにおけるメカシャッタの動作はライブ画像及び蓄積時にはシャッタ開412、読出し時にはシャッタ閉413、読出し後は再びシャッタ開414となる。
【０００８】
このとき、蓄積期間は表示する画像がないためブラックアウト(黒表示)をし415、読出し時は表示部起因の飛び込みノイズを避ける場合は表示部への電源供給及びデータ転送を停止し416、読出し後から現像完了までは再びブラックアウトをする417。
【０００９】
図５は黒引き有り時の静止画撮影シーケンスである。
【００１０】
撮像装置の電源を入れた後は固体撮像素子をライブモード(モニタモード)で駆動しており501、同時に表示部(LCD等) にライブ画像を表示し続ける502。その後、撮影者がシャッタボタンを押すことにより(SW2)撮影を開始する。まず固体撮像素子は蓄積を開始し503、その後読み出しを行なう504。読み出した画像は黒引き前のため本現像は行なわないが、仮レビューのための現像505、仮レビュー506を行なう。その際現像前の画像を内部メモリに一旦格納しておく。次に黒引き用の黒画像の蓄積507、読出し508を行ない、内部メモリに格納しておいた撮影画像から黒画像の引き算を行なう509。読出した画像信号は画像処理(現像)を行なうが、負荷の重い処理を行なう場合、レビュー画像(撮影した画像の表示)が遅れるため、一旦高速処理にて現像510、仮レビュー511を行なう。その後本現像512、撮影画像の格納513、レビュー514を行なう。撮影をした後は再び固体撮像素子をライブモードで駆動し515、表示部にライブ画像を表示する516。
【００１１】
尚、上記撮影シーケンスにおけるメカシャッタの動作はライブ画像及び先の蓄積時(撮影画像)にはシャッタ開517、読出し時と後の蓄積時(黒画像)にはシャッタ閉518、読出し後は再びシャッタ開519となる。
【００１２】
このとき、先の蓄積期間は表示する画像がないためブラックアウト(黒表示)をし520、読出し時は表示部起因の飛び込みノイズを避ける場合は表示部への電源供給及びデータ転送を停止し521/523、読出し後から現像完了までは再びブラックアウトをする522/524。
【００１３】
尚、上記図５で説明した例では通常撮影と黒撮影の間にレビュー画像を表示するようにしたが、レビュー画像を表示するには一度現像する必要があるため、それの代わりに処理中表示をする場合もある。
【００１４】
また、上記図５で説明した例では通常撮影と黒撮影の２画像と指定したが、ダイナミックレンジ拡大を目的として２枚とも露光(メカシャッタ開)する場合もある。但し、その場合は図５中507で示す蓄積期間もメカシャッタを開く必要がある。
又、撮像系へのノイズ発生源となるメモリアクセスを読出し期間外に行なう先行技術として下記特許文献１をあげることが出来る。
【特許文献１】特開2003-259222号公報
【発明の開示】
【発明が解決しようとする課題】
【００１５】
固体撮像素子の高画素化による駆動周波数の高周波化、撮像装置の小型化による基板上の部品の高密度化により、ビートノイズが映像信号にのりやすくなっている。飛び込みノイズは発生源を抑え込むのが大前提であるが、抑え込むには限界がある。基板パターンやタイミングで回避できればそれでよいが、常時駆動を必要としたり、LCD表示など見栄えに関する駆動については飛び込みノイズを回避するのが容易でない。
【課題を解決するための手段】
【００１６】
画像表示機能を備え、固体撮像素子を用いた撮像装置において、固体撮像素子からの読出し期間に画像表示部の表示を消す手段を備え、複数画像の読出し期間に画像表示を消しつづけることを特徴としている。
【００１７】
また、複数画像を読出し、それらの画像を演算して新たな画像として合成することを特徴としている。
【００１８】
また、複数画像の読出しは連写撮影であることを特徴としている。
【発明の効果】
【００１９】
以上説明したように、本発明によれば、撮像装置の使用時に、黒引き無し撮影の場合は従来どおりのレビュー画像表示を行ない、黒引き有り時にも表示を消すのを１回で済ますことにより、違和感を低減したレビュー画像表示が可能となる。
【発明を実施するための最良の形態】
【００２０】
次に、本発明の詳細を実施例の記述に従って説明する。
【実施例１】
【００２１】
図１(a)は本発明の撮像装置の構成を示す図である。
【００２２】
入射した光を固体撮像素子上に結像させる光学系101と、光学系の露出やズーム、フォーカス等を制御するための光学系制御部102と、結像させた光学像を電気信号に変換する固体撮像素子103と、固体撮像素子を駆動するための撮像系制御部104と、固体撮像素子の出力にクランプ、ゲインをかける等の処理を行うアナログ信号処理部105と、アナログ信号にデジタル変換を行なうアナログ/デジタル(A/D)変換部106と、A/D変換したデジタル信号から出力画像を生成するデジタル信号処理部107と、デジタル信号処理部にて出力画像を生成する際に一時的に画像データを格納する内部記憶部108と、生成した画像データを最終的に保存するための外部記憶装置とのインターフェース(I/F)部109と、生成された画像を表示する電子ファインダとしての画像表示部110から構成する。
【００２３】
尚、図示したビート成分は、画像表示部110へのデータ転送時に電源系にのるノイズや高速データ転送に起因する磁界の発生が原因と考えられる。
【００２４】
図１(b)は撮像装置のうち、画像表示部についてより詳細に説明する図である。
【００２５】
デジタル信号処理部107、内部記憶部108に供給する電源111と、画像表示部110に供給する電源112は分離されており、必要に応じて画像表示部のみの電源を切ることが可能である。それぞれのブロック間のデータはデータバス113でやりとりする。A/D変換後の撮影画像114はデジタル信号処理部を介して内部記憶部に格納されるが、光を入射して蓄積した画像(露光画像)115と遮光状態で蓄積した画像(黒画像)116はA/D変換されたままのデータ(CRW)として格納する。デジタル信号処理部にて現像した画像のうち、最終的に保存する画像は輝度/色差(YUV)データ117として内部記憶部に格納し、レビュー表示用の画像はRGBデータ118として格納する。レビュー表示用の画像は図示しないクロック等とともにLCDドライバ119に送り、LCD120にて表示する。その際、画像表示部はバックライト121を点灯することにより鮮明に画像を表示する。
【００２６】
図２は本発明の静止画撮影シーケンスである。
【００２７】
撮像装置の電源を入れた後は固体撮像素子をライブモード(モニタモード)で駆動しており201、同時に表示部(LCD等)にライブ画像を表示し続ける202。その後、撮影者がシャッタボタンを押すことにより(SW2)撮影を開始する。まず固体撮像素子は蓄積を開始し203、その後読み出しを行なう204。読み出した画像は内部メモリに一旦格納しておく。次に黒引き用の黒画像の蓄積205、読出し206を行ない、内部メモリに格納しておいた撮影画像から黒画像の引き算を行なう207。読出した画像信号は画像処理(現像)を行なうが、負荷の重い処理を行なう場合、レビュー画像(撮影した画像の表示)が遅れるため、一旦高速処理にて現像208、仮レビュー209を行なう。その後本現像210、撮影画像の格納211、レビュー212を行なう。撮影をした後は再び固体撮像素子をライブモードで駆動し213、表示部にライブ画像を表示する214。
【００２８】
尚、上記撮影シーケンスにおけるメカシャッタの動作はライブ画像及び先の蓄積時(撮影画像)にはシャッタ開215、読出し時と後の蓄積時(黒画像)にはシャッタ閉216、読出し後は再びシャッタ開217となる。
【００２９】
このとき、先の蓄積期間は表示する画像がないためブラックアウト(黒表示)をし518、先の読出しから現像完了までの期間は表示部起因の飛び込みノイズを避けるため表示部への電源供給及びデータ転送を停止する519。尚、本来は固体撮像素子からの読出し期間のみ表示部への電源供給及びデータ転送停止でよいが、一回の撮影で二回表示部の表示が消えるのは見栄えがよくないため、表示を消す期間を延ばして一回で済ます。
【００３０】
また、上記表示部の制御を行なうために、図では表示部への電源供給及びデータ転送停止を開始するために、先の蓄積を完了したことを表わすフラグ１(220)と、表示部への電源供給及びデータ転送停止を完了するために、仮レビュー用現像を完了したことを表わすフラグ２(221)を用いている。
【００３１】
図３は本発明の撮影前動作フローである。
【００３２】
静止画撮影モードにおいて、SW1を検出し301、撮影モードとプログラム線図をもとにシャッタ秒時Tvを計算する302。Tvをもとにに黒引き有りか無しかを判断し303、黒引き有りと判断した場合は通常撮影画像(光を入射して露光した画像)から黒画像(遮光画像)の読出し期間を含めてレビュー用の画像現像完了までの画像表示を止めるように設定する304(図２)。黒引き無しと判断した場合は従来どおり撮影画像の読出し期間のみ画像表示を止めるように設定する305(図４)。以上で得られた黒引き有無設定及び画像表示設定に従い撮影を行なう306。
【００３３】
尚、本実施例ではTvをもとに黒引き有無を判断しているがこれに限らず、ユーザーが設定可能なノイズリダクション有無設定や、感度設定等をもとに黒引き有無を判断してもよい。
【００３４】
尚、本実施例では２画像の黒引きを例に説明したが、３枚以上の画像の演算(合成)でもよい。また、連続撮影(連写)時に適用してもよい。
【図面の簡単な説明】
【００３５】
【図１】像装置の構成
【図２】発明の静止画撮影シーケンス
【図３】発明の撮影前動作フロー
【図４】来の黒引き無し時の静止画撮影シーケンス
【図５】来の黒引き有り時の静止画撮影シーケンス
【図１】
2009147622.tif 000003
【図２】
2009147622.tif 000004
【図３】
2009147622.tif 000005
【図４】
2009147622.tif 000006
【図５】
2009147622.tif 000007